(57)【要約】【課題】略灯具前後方向に延びるように配置された板状導光体を備えた車両用灯具において、コンパクトな構成で略均一な発光を実現可能とする。【解決手段】板状導光体２２に対して、その下面２２ｄから入射した発光素子３０からの光を、その後端面２２ｂで全反射させてその前端面へ導く構成とする。これにより、従来の板状導光体のように板面から大きく突出する突起物をなくし、車両用灯具をコンパクトに構成可能とする。その上で、板状導光体２２の後端面２２ｂの一部領域を、該後端面２２ｂに到達した発光素子３０からの光を２箇所で順次全反射させる２回反射面２２ｂＡとして構成する。これにより、板状導光体２２の後端面２２ｂに到達した入射光のうち該後端面２２ｂで全反射せずにその後方側空間へ抜け出てしまう光をなくし、板状導光体２２の前端面を灯具前方側から観察したとき、その下部領域が暗く見えてしまわないようにする。【選択図】図６
2019067521.tif 000002
【特許請求の範囲】
【請求項１】
略灯具前後方向に延びるように配置された板状導光体と、この板状導光体に対して該板状導光体の板面から光を入射させるように配置された発光素子と、を備えた車両用灯具において、
上記板状導光体は、該板状導光体に入射した上記発光素子からの光を、該板状導光体の後端面で全反射させて該板状導光体の前端面へ導くように構成されており、
上記後端面の少なくとも一部領域は、該後端面に到達した上記発光素子からの光を２箇所で順次全反射させる２回反射面として構成されている、ことを特徴とする車両用灯具。
【請求項２】
上記２回反射面は、楔形の断面形状で放射状に延びるように形成されている、ことを特徴とする請求項１記載の車両用灯具。
【請求項３】
上記２回反射面は、上記板面からの入射光を上記前端面へ向かう略平行光として全反射させるように構成されている、ことを特徴とする請求項１または２記載の車両用灯具。
【請求項４】
上記２回反射面は、上記後端面における上記板面寄りの位置に形成されており、
上記後端面における上記２回反射面の周囲に位置する領域は、１回反射面として構成されている、ことを特徴とする請求項１〜３いずれか記載の車両用灯具。
【請求項５】
上記板面に、上記発光素子からの出射光を、灯具前後方向と直交する平面内において上記板面寄りの方向へ屈折させる態様で上記板状導光体に入射させる偏向入射部が形成されている、ことを特徴とする請求項４記載の車両用灯具。
【請求項６】
上記１回反射面は、上記平面内において上記発光素子寄りに位置する第１反射領域と、この第１反射領域に隣接する第２反射領域とからなり、
上記第２反射領域は、上記偏向入射部からの入射光を上記前端面へ向かう略平行光として全反射させるように構成されている、ことを特徴とする請求項５記載の車両用灯具。
【発明の詳細な説明】
【技術分野】
【０００１】
本願発明は、略灯具前後方向に延びるように配置された板状導光体を備えた車両用灯具に関するものである。
【背景技術】
【０００２】
従来より、テールランプやクリアランスランプ等の車両用灯具の構成として、略灯具前後方向に延びるように配置された板状導光体を備えたものが知られている。
【０００３】
例えば「特許文献１」には、このような板状導光体として、その後端部から入射した発光素子からの光をその前端面へ導くように構成されたものが記載されている。
【０００４】
この「特許文献１」に記載された板状導光体は、水平面に沿って配置されており、その後端部には、発光素子からの出射光を上向きの光として入射させる光入射部と、この光入射部から入射した光を該板状導光体の前端面へ向けて全反射させる光反射部とが形成されている。
【先行技術文献】
【特許文献】
【０００５】
【特許文献１】米国特許出願公開第２０１４／０２０４６００号明細書
【発明の概要】
【発明が解決しようとする課題】
【０００６】
上記「特許文献１」に記載された板状導光体においては、その後端部に形成された光入射部が、該板状導光体の下面から下方へ向けて大きく突出しているので、車両用灯具をコンパクトに構成することが困難である。
【０００７】
これに対し、板状導光体の構成として、発光素子からの出射光をその下面から入射させた後、放物面状に形成された後端面で前端面へ向けて全反射させるようにすれば、車両用灯具をコンパクトに構成することが可能となる。
【０００８】
しかしながら、このような構成を採用した場合には、板状導光体の下面から入射してその後端面に到達した光のうち該後端面の下部領域に到達した光は、その後端面で全反射せずに板状導光体の後方側空間へ抜け出てしまうので、板状導光体の前端面を灯具前方側から観察したとき、その下部領域が暗く見えてしまう。このため、板状導光体の前端面が略均一に光って見えるようにすることが困難となってしまう。
【０００９】
本願発明は、このような事情に鑑みてなされたものであって、略灯具前後方向に延びるように配置された板状導光体を備えた車両用灯具において、コンパクトな構成で略均一な発光を実現することができる車両用灯具を提供することを目的とするものである。
【課題を解決するための手段】
【００１０】
本願発明は、板状導光体の構成に工夫を施すことにより、上記目的達成を図るようにしたものである。
【００１１】
すなわち、本願発明に係る車両用灯具は、
略灯具前後方向に延びるように配置された板状導光体と、この板状導光体に対して該板状導光体の板面から光を入射させるように配置された発光素子と、を備えた車両用灯具において、
上記板状導光体は、該板状導光体に入射した上記発光素子からの光を、該板状導光体の後端面で全反射させて該板状導光体の前端面へ導くように構成されており、
上記後端面の少なくとも一部領域は、該後端面に到達した上記発光素子からの光を２箇所で順次全反射させる２回反射面として構成されている、ことを特徴とするものである。
【００１２】
上記「発光素子」の種類は特に限定されるものではなく、例えば発光ダイオードやレーザーダイオード等が採用可能である。
【００１３】
上記「板面」の向きは特に限定されるものではなく、例えば上向きの板面や下向きの板面等が採用可能である。
【００１４】
上記「２回反射面」は、該２回反射面に到達した光を２箇所で順次全反射させるように構成されていれば、その具体的な構成は特に限定されるものではない。
【発明の効果】
【００１５】
本願発明に係る車両用灯具は、略灯具前後方向に延びるように配置された板状導光体に対して、その板面から入射した発光素子からの光を、その後端面で全反射させてその前端面へ導くように構成されているが、その後端面の少なくとも一部領域は、該後端面に到達した発光素子からの光を２箇所で順次全反射させる２回反射面として構成されているので、次のような作用効果を得ることができる。
【００１６】
すなわち、板状導光体は、発光素子からの出射光をその板面から入射させた後その後端面で全反射させる構成となっているので、従来の板状導光体のように板面から大きく突出する突起物をなくすことができ、これにより車両用灯具をコンパクトに構成することができる。
【００１７】
その上で、板状導光体は、その後端面の少なくとも一部領域が２回反射面として構成されているので、この後端面に到達した入射光のうち該後端面で全反射せずにその後方側空間へ抜け出てしまう光をなくすことまたはこれを最小限に抑えることができる。したがって、板状導光体の前端面を灯具前方側から観察したとき、その下部領域が暗く見えてしまうのを防止することまたはこれを効果的に抑制することができ、これにより板状導光体の前端面が略均一に光って見えるようにすることが可能となる。
【００１８】
このように本願発明によれば、略灯具前後方向に延びるように配置された板状導光体を備えた車両用灯具において、コンパクトな構成で略均一な発光を実現することができる。
【００１９】
上記構成において、板状導光体の２回反射面として、楔形の断面形状で放射状に延びるように形成されたものとすれば、該２回反射面に到達した入射光を板状導光体の前端面へ向けて効率良く全反射させることができる。
【００２０】
上記構成において、板状導光体の２回反射面として、その板面からの入射光をその前端面へ向かう略平行光として全反射させるように構成されたものとすれば、その前端面がより均一に光って見えるようにすることができる。
【００２１】
上記構成において、板状導光体として、その後端面における板面寄りの位置に２回反射面が形成されるとともに、その後端面における２回反射面の周囲に位置する領域が１回反射面として構成されたものとすれば、後端面で全反射せずにその後方側空間へ抜け出てしまう光をなくすようにした上で、後端面の形状を簡素化することができる。
【００２２】
上記「１回反射面」とは、該１回反射面に到達した光を１回で全反射させるように構成された反射面（すなわち通常の全反射面）を意味するものである。
【００２３】
このような構成を採用した場合において、板状導光体の板面に、発光素子からの出射光を、灯具前後方向と直交する平面内において板面寄りの方向へ屈折させる態様で板状導光体に入射させる偏向入射部が形成された構成とすれば、次のような作用効果を得ることができる。
【００２４】
すなわち、灯具前後方向と直交する平面内において発光素子から離れた位置にある１回反射面には板面からの入射光が届きにくくなるが、偏向入射部の形成により１回反射面に到達する光の量を多くすることができるので、これにより板状導光体の前端面がより均一に光って見えるようにすることができる。
【００２５】
その際、板状導光体の１回反射面を、上記平面内において発光素子寄りに位置する第１反射領域とこれに隣接する第２反射領域とからなる構成とした上で、その第２反射領域を、偏向入射部からの入射光を板状導光体の前端面へ向かう略平行光として全反射させるように構成されたものとすれば、板状導光体の前端面がより一層均一に光って見えるようにすることができる。
【図面の簡単な説明】
【００２６】
【図１】本願発明の一実施形態に係る車両用灯具を示す正面図
【図２】図１のII−II線断面図
【図３】図１のIII−III線断面図
【図４】上記車両用灯具の主要構成要素を斜め上後方から見て示す図
【図５】図３の要部詳細図
【図６】図５のVI方向矢視図
【図７】図４のVII 部詳細図
【図８】上記実施形態の変形例を示す、図６と同様の図
【図９】上記変形例を示す、図７と同様の図
【発明を実施するための形態】
【００２７】
以下、図面を用いて、本願発明の実施の形態について説明する。
【００２８】
図１は、本願発明の一実施形態に係る車両用灯具１０を示す正面図である。また、図２は、図１のII−II線断面図であり、図３は、図１のIII−III線断面図である。
【００２９】
これらの図において、Ｘで示す方向が灯具としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００３０】
図１および２に示すように、本実施形態に係る車両用灯具１０は、車両の右前端部に設けられるクリアランスランプであって、ランプボディ１２と素通し状の透光カバー１４とで形成される灯室内に、導光体ユニット２０と３つの発光素子３０とが組み込まれた構成となっている。
【００３１】
透光カバー１４は、車幅方向内側（左側）から車幅方向外側へ向けて後方側に傾斜して延びるように形成されている。
【００３２】
図４は、車両用灯具１０の主要構成要素である導光体ユニット２０および３つの発光素子３０を斜め上後方から見て示す図である。
【００３３】
同図にも示すように、導光体ユニット２０は、アクリル樹脂等からなる透明な合成樹脂成形品であって、水平面に沿って平板状に延びるように形成されている。そして、この導光体ユニット２０は、その左右両端面に形成されたフランジ部２０ａにおいてランプボディ１２に支持されている。
【００３４】
この導光体ユニット２０は、灯具前後方向に延びる３つの板状導光体２２が車幅方向に並んで配置された状態で一体的に形成された構成となっている。各板状導光体２２は、いずれも同様の構成を有している。
【００３５】
図２に示すように、各板状導光体２２の前端面２２ａは、透光カバー１４の傾斜角度に対応して車幅方向内側から車幅方向外側へ向けて後方側に傾斜するように形成されており、その際、各板状導光体２２相互間において連続するように形成されている。
【００３６】
図３に示すように、各板状導光体２２の上面（すなわち上側の板面）２２ｃは、単一の水平面として形成されているが、その下面（すなわち下側の板面）２２ｄは、前部領域２２ｄ１が水平面として形成されるとともに後部領域２２ｄ２が前部領域２２ｄ１よりも一段低い水平面として形成されており、その中間領域２２ｄ３が両者を繋ぐ傾斜面として形成されている。
【００３７】
導光体ユニット２０の後端部には、各板状導光体２２の後端面２２ｂの下端部から後方へ向けて薄板状に突出する後方フランジ部２０ｂが形成されている。この後方フランジ部２０ｂは、各板状導光体２２の下面２２ｄの後部領域２２ｄ２に沿って水平に延びるように形成されている。その際、この後方フランジ部２０ｂは、各板状導光体２２の下面２２ｄの前部領域２２ｄ１と後部領域２２ｄ２との段差分の板厚で形成されている。
【００３８】
３つの発光素子３０は、いずれも白色発光ダイオードであって、同様の構成を有している。
【００３９】
各発光素子３０は、各板状導光体２２の後端部の下方に位置するように配置されている。その際、各発光素子３０は、その発光面３０ａを上方（具体的には真上の方向）へ向けた状態で、基板３２を介してランプボディ１２に支持されている。そして、各発光素子３０は、その発光面３０ａからの出射光を各板状導光体２２に対して、その下面２２ｄの後部領域２２ｄ２から該板状導光体２２に入射させるようになっている。
【００４０】
各板状導光体２２は、該板状導光体２２に入射した各発光素子３０からの光を、該板状導光体２２の後端面２２ｂで全反射させて該板状導光体２２の前端面２２ａへ導くように構成されている。
【００４１】
各板状導光体２２の前端面２２ａには、複数の魚眼レンズ素子２２ｓが形成されており、これら各魚眼レンズ素子２２ｓにおいて前端面２２ａに導かれた光を上下方向および左右方向に拡散出射させるようになっている。
【００４２】
以下においては、最も車幅方向内側に位置する板状導光体２２を取り上げて、その後端面２２ｂの具体的な構成について説明する。
【００４３】
図５は、図３の要部詳細図であり、図６は、図５のVI方向矢視図である。また、図７は、図４のVII 部詳細図である。
【００４４】
これらの図にも示すように、板状導光体２２の後端面２２ｂは、下側の板面２２ｄ寄りに位置する領域の一部が、該後端面２２ｂに到達した発光素子３０からの光を２箇所で順次全反射させる２回反射面２２ｂＡとして構成されている。
【００４５】
一方、板状導光体２２の後端面２２ｂにおいて、２回反射面２２ｂＡの周囲に位置する領域は、該後端面２２ｂに到達した発光素子３０からの光を１回で全反射させる１回反射面２２ｂＢとして構成されている。
【００４６】
そして、２回反射面２２ｂＡと１回反射面２２ｂＢとの境界面２２ｂ１は、発光素子３０の発光面３０ａの前端縁近傍において灯具前後方向と直交する鉛直面で構成されている。
【００４７】
２回反射面２２ｂＡは、楔形の断面形状で放射状に延びるように形成されている。
【００４８】
具体的には、この２回反射面２２ｂＡは、発光素子３０の発光中心（すなわち発光面３０ａの中心）Ａの下方近傍に位置する仮想点Ｂを通るようにして灯具前後方向に延びる軸線Ａｘを中心にして放射状に延びる複数の突条部２２ｂＡｓで構成されている。
【００４９】
仮想点Ｂは、発光中心Ａからの出射光が板状導光体２２に入射する際に、その下面２２ｄの後部領域２２ｄ２で屈折することを考慮したとき、発光中心Ａに対する仮想点光源となるべき概略の位置を示す点である。
【００５０】
各突条部２２ｂＡｓは、断面楔形の全反射プリズムで構成されており、該突条部２２ｂＡｓを構成する１対の斜面２２ｂＡｓ１、２２ｂＡｓ２はいずれも凸曲面で構成されている。そして、各突条部２２ｂＡｓは、軸線Ａｘから離れるに従って、その断面形状が徐々に大きくなるように形成されている。
【００５１】
これにより、各突条部２２ｂＡｓは、板状導光体２２に入射した発光中心Ａからの光を、１対の斜面２２ｂＡｓ１、２２ｂＡｓ２で順次全反射させて、灯具正面方向へ向かう略平行光とするようになっている。
【００５２】
一方、１回反射面２２ｂＢは、仮想点Ｂを焦点とするとともに軸線Ａｘを中心軸とする回転放物面で構成されている。
【００５３】
これにより、１回反射面２２ｂＢは、板状導光体２２に入射した発光中心Ａからの光を、該１回反射面２２ｂＢで全反射させて灯具正面方向へ向かう略平行光とするようになっている。
【００５４】
境界面２２ｂ１の外周縁は、軸線Ａｘを中心とする２回反射面２２ｂＡよりもひとまわり大きい円弧形状を有している。
【００５５】
この境界面２２ｂ１は、発光素子３０の発光面３０ａの前端縁近傍に位置しているので、板状導光体２２に入射した発光素子３０からの光が該境界面２２ｂ１に到達することはなく、また、この光が１回反射面２２ｂＢに到達する際の入射角は臨界角以上の値となる。
【００５６】
次に、本実施形態の作用効果について説明する。
【００５７】
本実施形態に係る車両用灯具１０は、灯具前後方向に延びるように配置された板状導光体２２に対して、その下面（下側の板面）２２ｄから入射した発光素子３０からの光を、その後端面２２ｂで全反射させてその前端面２２ａへ導くように構成されているが、その後端面２２ｂの一部領域は、該後端面２２ｂに到達した発光素子３０からの光を２箇所で順次全反射させる２回反射面２２ｂＡとして構成されているので、次のような作用効果を得ることができる。
【００５８】
すなわち、板状導光体２２は、発光素子３０からの出射光をその下面２２ｄから入射させた後その後端面２２ｂで全反射させる構成となっているので、従来の板状導光体のように板面から大きく突出する突起物をなくすことができ、これにより車両用灯具１０をコンパクトに構成することができる。
【００５９】
その上で、板状導光体２２は、その後端面２２ｂの一部領域が２回反射面２２ｂＡとして構成されているので、この後端面２２ｂに到達した入射光のうち該後端面２２ｂで全反射せずにその後方側空間へ抜け出てしまう光をなくすことができる。したがって、板状導光体２２の前端面２２ａを灯具前方側から観察したとき、その下部領域が暗く見えてしまうのを防止することができ、これにより板状導光体２２の前端面２２ａが略均一に光って見えるようにすることが可能となる。
【００６０】
このように本実施形態によれば、灯具前後方向に延びるように配置された板状導光体２２を備えた車両用灯具１０において、コンパクトな構成で略均一な発光を実現することができる。
【００６１】
その際、本実施形態の板状導光体２２は、その２回反射面２２ｂＡが楔形の断面形状で放射状に延びるように形成されているので、該２回反射面２２ｂＡに到達した入射光を板状導光体２２の前端面２２ａへ向けて効率良く全反射させることができる。
【００６２】
しかも、この２回反射面２２ｂＡは、板状導光体２２の下面２２ｄからの入射光をその前端面２２ａへ向かう略平行光として全反射させるように構成されているので、その前端面２２ａがより均一に光って見えるようにすることができる。
【００６３】
また、本実施形態の板状導光体２２は、その後端面２２ｂにおける下面２２ｄ寄りの位置に２回反射面２２ｂＡが形成されるとともに、その周囲に位置する領域が１回反射面（すなわち通常の全反射面）２２ｂＢとして構成されているので、後端面２２ｂで全反射せずにその後方側空間へ抜け出てしまう光をなくすようにした上で、後端面２２ｂの形状を簡素化することができる。
【００６４】
しかも、この１回反射面２２ｂＢは、板状導光体２２の下面２２ｄからの入射光をその前端面２２ａへ向かう略平行光として全反射させるように構成されているので、その前端面２２ａがより一層均一に光って見えるようにすることができる。
【００６５】
その際、本実施形態においては、２回反射面２２ｂＡと１回反射面２２ｂＢとの境界面２２ｂ１が、発光素子３０の発光面３０ａの前端縁近傍に位置しているので、１回反射面２２ｂＢにおいて発光素子３０からの出射光を確実に全反射させるようにすることができる。
【００６６】
また、この境界面２２ｂ１は、発光素子３０の発光面３０ａの前端縁近傍において灯具前後方向と直交する鉛直面で構成されているので、発光素子３０からの出射光が境界面２２ｂ１に入射して該境界面２２ｂ１で全反射することにより迷光を発生させてしまうのを未然に防止することができる。
【００６７】
上記実施形態においては、板状導光体２２の後端面２２ｂを構成する２回反射面２２ｂＡおよび１回反射面２２ｂＢの各々が、板状導光体２２の下面２２ｄからの入射光を略平行光として反射させるように構成されているものとして説明したが、２回反射面２２ｂＡおよび１回反射面２２ｂＢの一方または双方が拡散光として反射させるように構成されたものとすることも可能である。
【００６８】
上記実施形態においては、発光素子３０からの出射光を、板状導光体２２の下面２２ｄから入射させるように構成されているものとして説明したが、その上面２２ｃから入射させるように構成されたものとすることも可能である。
【００６９】
上記実施形態においては、３組の板状導光体２２および発光素子３０が車幅方向に並んで配置されているものとして説明したが、これらが２組以下また４組以上配置された構成とすることも可能である。
【００７０】
上記実施形態においては、導光体ユニット２０が水平面に沿って延びるように形成されているものとして説明したが、それ以外の方向に延びるように形成された構成とすることも可能である。
【００７１】
上記実施形態においては、車両用灯具１０が、車両の右前端部に設けられるクリアランスランプである場合について説明したが、クリアランスランプ以外にも、デイタイムランニングランプ、テールランプ、ストップランプ、ターンシグナルランプ、ルームランプ等、車両に設けられる箇所や機能にかかわらず、上記実施形態と同様の構成を採用することにより上記実施形態と同様の作用効果を得ることができる。
【００７２】
次に、上記実施形態の変形例について説明する。
【００７３】
図８および９は、本変形例の構成を示す、図６、７と同様の図である。
【００７４】
これらの図に示すように、本変形例の基本的な構成は上記実施形態の場合と同様であるが、導光体ユニット１２０における各板状導光体１２２の構成が上記実施形態の場合と一部異なっている。
【００７５】
具体的には、本変形例の板状導光体１２２は、上記実施形態の板状導光体２２よりも薄い板厚で形成されており、また、その下面１２２ｄの後部領域１２２ｄ２に左右１対の偏向入射部１２２ｅが形成されている。さらに、本変形例の板状導光体１２２は、その後端面１２２ｂの形状が上記実施形態の場合と一部異なっている。
【００７６】
すなわち、本変形例の板状導光体１２２は、その上面１２２ｃが上記実施形態の場合よりも低い位置に設定されており、左右１対の偏向入射部１２２ｅは、軸線Ａｘを含む鉛直面に関して左右対称の位置関係で形成されている。
【００７７】
各偏向入射部１２２ｅは、発光素子３０からの出射光を、軸線Ａｘと直交する平面内において下面１２２ｄ寄りの方向（すなわち左右両側へより大きく離れる方向）へ屈折させる態様で板状導光体２２に入射させるようになっている。
【００７８】
これを実現するため、各偏向入射部１２２ｅは、楔形の断面形状で灯具前後方向に延びるように形成されており、その軸線Ａｘを含む鉛直面側の斜面は鉛直面に近い角度で形成されている。
【００７９】
各偏向入射部１２２ｅは、導光体ユニット１２０の後方フランジ部１２０ｂの後端縁から後部領域１２２ｄ２の前端縁近傍までの範囲にわたって軸線Ａｘと平行に延びるように形成されている。
【００８０】
本変形例の板状導光体１２２も、上記実施形態の板状導光体２２と同様、その後端面１２２ｂにおける下面１２２ｄ寄りの位置に２回反射面１２２ｂＡが形成されるとともに、その周囲に位置する領域が１回反射面１２２ｂＢとして構成されている。
【００８１】
その際、２回反射面１２２ｂＡは、上記実施形態の場合と同様、複数の突条部１２２ｂＡｓで構成されており、各突条部１２２ｂＡｓは板状導光体１２２に入射した発光中心Ａからの光を、１対の斜面１２２ｂＡｓ１、１２２ｂＡｓ２で順次全反射させて、灯具正面方向へ向かう略平行光とするようになっている。
【００８２】
一方、１回反射面１２２ｂＢは、左右方向に関して発光素子３０寄り（すなわち軸線Ａｘを含む鉛直面寄り）に位置する第１反射領域１２２ｂＢ１と、その左右両側に隣接する１対の第２反射領域１２２ｂＢ２とで構成されている。
【００８３】
第１反射領域１２２ｂＢ１は、上記実施形態の１回反射面２２ｂＢと同様、仮想点Ｂを焦点とするとともに軸線Ａｘを中心軸とする回転放物面で構成されている。
【００８４】
一方、第２反射領域１２２ｂＢ２は、発光素子３０の発光中心Ａの上方近傍に位置する仮想点Ｃを通るようにして灯具前後方向に延びる軸線を中心軸とする回転放物面で構成されている。
【００８５】
仮想点Ｃは、発光中心Ａからの出射光が各偏向入射部１２２ｅにおいて板状導光体１２２に入射する際に、各偏向入射部１２２ｅで屈折することを考慮したとき、発光中心Ａに対する仮想点光源となるべき概略の位置を示す点である。
【００８６】
そして本変形例においては、主として、板状導光体１２２の下面１２２ｄの後部領域１２２ｄ２における左右１対の偏向入射部１２２ｅの間の部分から板状導光体１２２に入射した発光中心Ａからの光を、２回反射面１２２ｂＡおよび１回反射面１２２ｂＢの第１反射領域１２２ｂＢ１の各々において灯具正面方向へ向かう略平行光として全反射させるとともに、板状導光体１２２の下面１２２ｄの後部領域１２２ｄ２における各偏向入射部１２２ｅから板状導光体１２２に入射した発光中心Ａからの光を、１回反射面１２２ｂＢの第２反射領域１２２ｂＢ２において灯具正面方向へ向かう略平行光として全反射させるようになっている。
【００８７】
なお、本変形例においても、２回反射面１２２ｂＡと１回反射面１２２ｂＢとの境界面１２２ｂ１は、発光素子３０の発光面３０ａの前端縁近傍において灯具前後方向と直交する鉛直面で構成されている。
【００８８】
本変形例のように、板状導光体１２２の下面１２２ｄの後部領域１２２ｄ２に、発光素子３０からの出射光を下面１２２ｄ寄りの方向へ屈折させる態様で板状導光体１２２に入射させる偏向入射部１２２ｅが形成された構成とすることにより、次のような作用効果を得ることができる。
【００８９】
すなわち、発光素子３０から左右両方向に離れた位置にある１回反射面１２２ｂＢには下面１２２ｄの後部領域１２２ｄ２からの入射光が届きにくくなるが、偏向入射部１２２ｅの形成により１回反射面１２２ｂＢに到達する光の量を多くすることができ、これにより板状導光体１２２の前端面がより均一に光って見えるようにすることができる。
【００９０】
しかも本変形例においては、板状導光体１２２の１回反射面１２２ｂＢが、左右方向に関して発光素子３０寄りに位置する第１反射領域１２２ｂＢ１とこれに隣接する第２反射領域１２２ｂＢ２とで構成されており、その第２反射領域１２２ｂＢ２が発光素子３０の発光中心Ａの上方近傍に位置する仮想点Ｃを通るようにして灯具前後方向に延びる軸線を中心軸とする回転放物面で構成されているので、次のような作用効果を得ることができる。
【００９１】
すなわち、仮に、図９に２点鎖線で示すように、１回反射面１２２ｂＢにおける第２反射領域１２２ｂＢ２の部分が第１反射領域１２２ｂＢ１を延長させた曲面で構成されているとした場合には、この部分で反射した光は板状導光体１２２の前端面へ向かう略平行光ではなく軸線Ａｘから斜め上方へ離れる方向へ向かう光となってしまう。
【００９２】
これに対し、本変形例においては、第２反射領域１２２ｂＢ２が仮想点Ｃを通るようにして灯具前後方向に延びる軸線を中心軸とする回転放物面で構成されているので、偏向入射部１２２ｅからの入射光を板状導光体１２２の前端面へ向かう略平行光として全反射させることができ、これにより板状導光体１２２の前端面がより一層均一に光って見えるようにすることができる。
【００９３】
なお、上記実施形態およびその変形例において諸元として示した数値は一例にすぎず、これらを適宜異なる値に設定してもよいことはもちろんである。
【００９４】
また、本願発明は、上記実施形態およびその変形例に記載された構成に限定されるものではなく、これ以外の種々の変更を加えた構成が採用可能である。
【符号の説明】
【００９５】
１０  車両用灯具
１２  ランプボディ
１４  透光カバー
２０、１２０  導光体ユニット
２０ａ  フランジ部
２０ｂ、１２０ｂ  後方フランジ部
２２、１２２  板状導光体
２２ａ  前端面
２２ｂ、１２２ｂ  後端面
２２ｂＡ、１２２ｂＡ  ２回反射面
２２ｂＡｓ、１２２ｂＡｓ  突条部
２２ｂＡｓ１、２２ｂＡｓ２、１２２ｂＡｓ１、１２２ｂＡｓ２  斜面
２２ｂＢ、１２２ｂＢ  １回反射面
２２ｂ１、１２２ｂ１  境界面
２２ｃ、１２２ｃ  上面（上側の板面）
２２ｄ、１２２ｄ  下面（下側の板面）
２２ｄ１  前部領域
２２ｄ２、１２２ｄ２  後部領域
２２ｄ３  中間領域
２２ｓ  魚眼レンズ素子
３０  発光素子
３０ａ  発光面
１２２ｂＢ１  第１反射領域
１２２ｂＢ２  第２反射領域
１２２ｅ  偏向入射部
Ａ  発光中心
Ａｘ  軸線
Ｂ、Ｃ  仮想点
【図１】
2019067521.tif 000003
【図２】
2019067521.tif 000004
【図３】
2019067521.tif 000005
【図４】
2019067521.tif 000006
【図５】
2019067521.tif 000007
【図６】
2019067521.tif 000008
【図７】
2019067521.tif 000009
【図８】
2019067521.tif 000010
【図９】
2019067521.tif 000011